(57)【要約】    【課題】第１障害突起を通過した遊技球の戻りを阻止して後続の遊技球との衝突を少なくし、複数の障害突起により遊技球の落下方向を不規則に変化させるようにする。    【解決手段】外ガイドレール１１と内ガイドレール１２との間の案内通路１９を経て遊技領域１３の上部側へと打ち込まれた遊技球を衝突させて落下させるための障害突起２７〜２９を遊技領域１３の上部に外ガイドレール１１に沿って所定間隔をおいて複数配置し、この複数の障害突起２７〜２９のうち、案内通路１９に最も近い第１障害突起２７の頂部４４側に、外ガイドレール１１側へと遊技球が戻る戻り球を阻止する戻り球阻止手段４８を備えたものである。【選択図】図７
2010136867.tif 000002
【特許請求の範囲】
【請求項１】
外ガイドレール（１１）と内ガイドレール（１２）との間の案内通路（１９）を経て遊技領域（１３）の上部側へと打ち込まれた遊技球を衝突させて落下させるための障害突起（２７〜２９）を前記遊技領域（１３）の上部に前記外ガイドレール（１１）に沿って所定間隔をおいて複数配置した弾球遊技機において、前記複数の障害突起（２７〜２９）のうち、前記案内通路（１９）に最も近い第１障害突起（２７）の頂部（４４）側に、前記外ガイドレール（１１）側へと遊技球が戻る戻り球を阻止する戻り球阻止手段（４８）を備えたことを特徴とする弾球遊技機。
【請求項２】
前記戻り球阻止手段（４８）は前記第１障害突起（２７）の前記頂部（４４）に阻止部（４９）を備え、該阻止部（４９）と前記外ガイドレール（１１）との間隔（Ｗ１）が前記第１障害突起（２７）に隣接する第２障害突起（２８）と前記外ガイドレール（１１）との間隔（Ｗ２）よりも小であることを特徴とする請求項１に記載の弾球遊技機。
【請求項３】
前記第１障害突起（２７）は前記阻止部（４９）を挟んで前記案内通路（１９）側に前側衝突壁（４５）を、前記第２障害突起（２８）側に裏側衝突壁（４６）を夫々備え、前記阻止部（４９）は前記裏側衝突壁（４６）を経て前記外ガイドレール（１１）側へと移動する遊技球を阻止することを特徴とする請求項２に記載の弾球遊技機。
【請求項４】
前記裏側衝突壁（４６）は前記阻止部（４９）から斜め下方へと傾斜し、前記阻止部（４９）は前記裏側衝突壁（４６）上を前記外ガイドレール（１１）側端で前記第２障害突起（２８）側に突出することを特徴とする請求項４に記載の弾球遊技機。
【請求項５】
前記第１障害突起（２７）は前記阻止部（４９）よりも前記案内通路（１９）側に、該案内通路（１９）からの遊技球が衝突する前側衝突壁（４５）を有し、該前側衝突壁（４５）は上下方向に長く形成され且つ下向きに傾斜することを特徴とする請求項２又は３に記載の弾球遊技機。
【発明の詳細な説明】
【技術分野】
【０００１】
本発明は、パチンコ機、アレンジボール機その他の弾球遊技機に関するものである。
【背景技術】
【０００２】
パチンコ機の遊技盤には、発射手段から発射された遊技球を案内するガイドレールが略円弧状に配置されると共に、そのガイドレールの内側の遊技領域に画像表示手段、普通図柄始動手段、特別図柄始動手段、大入賞手段、普通入賞手段等の各種の遊技部品が配置され、またその各遊技部品間に障害用の多数の遊技釘が配設されている。
【０００３】
ゲームに際しては、発射手段によりガイドレールを経て遊技領域の上部へと遊技球を打ち込んで行く。そして、遊技釘等に衝突又は案内されながら遊技球が落下する間に、その遊技球が入賞手段に入賞すれば、その入賞数に応じて所定数の遊技球を払い出し、また図柄始動手段が遊技球を検出すれば、図柄表示手段の遊技図柄、画像表示手段の演出画像等が所定時間変動して大当たり態様又は外れ態様の何れかで停止させて、大当たり態様のときに大入賞手段に遊技球が入賞し易くする。
【０００４】
近年の遊技盤では、画像表示手段が非常に大型化する傾向にあり、これに伴って画像表示手段の外周側を飾る前飾り枠も大型化し、この前飾り枠が遊技盤の前面に当接するため、遊技領域の上部側に遊技釘を配置するスペースがなくなりつつある。
【０００５】
そこで、遊技釘に代替する複数の障害突起を前飾り枠のベース板に一体に設け、この障害突起により、遊技領域の上部へと打ち込まれた遊技球の落下方向を不規則に変化させるようにしたものが提案されている（特許文献１）。
【特許文献１】特開２００５−１９２８２７号公報
【発明の開示】
【発明が解決しようとする課題】
【０００６】
従来のこの一体型の障害突起は、ベース板の遊技領域の上部側に対応する部分に、案内通路から遊技領域の最上部側へと外ガイドレールに沿って第１障害突起、第２障害突起、第３障害突起と３個の障害突起を配置し、この３個の障害突起により、遊技球に対して不規則な変化を与えるようにしている。
【０００７】
しかし、従来の第１障害突起は、案内通路に対向する前側衝突壁と反対側の裏側衝突壁とを八の字状に備えた山形状であり、第１障害突起上を通過した遊技球が第１障害突起と第２障害突起とに交互に衝突して遊技領域の上部で弾み易くなるように裏側衝突壁を緩やかな傾斜状に構成している。
【０００８】
このため遊技球の反射状況によっては、第２障害突起、第３障害突起から跳ね返された遊技球が、第１障害突起の裏側衝突壁をその傾斜に逆らって逆方向に移動する。そして、その遊技球が第１障害突起の頂部を乗り越えて戻り球となって案内通路側へと戻る場合は勿論のこと、第１障害突起の頂部を越えない場合でも、戻り球が頂部よりも外ガイドレール側に突出した時点で後続の遊技球が接近すれば、その戻り球と後続の遊技球とが衝突するという問題がある。
【０００９】
特に第１障害突起の前側衝突壁を傾斜状にして、案内通路からの遊技球が前側衝突壁により案内されて第１障害突起を越え易くなるようにした場合には、戻り球があれば、その戻り球が案内通路と第１障害突起との間で後続の遊技球と衝突を繰り返す等して、遊技領域の上部に打ち込まれた遊技球が弾みながらスムーズに落下しなくなる惧れがある。
【００１０】
本発明は、このような従来の問題点に鑑み、第１障害突起を通過した遊技球の戻りを阻止して後続の遊技球との衝突を少なくし、複数の障害突起により遊技球の落下方向を不規則に変化させることができる弾球遊技機を提供することを目的とする。
【課題を解決するための手段】
【００１１】
本発明は、外ガイドレール１１と内ガイドレール１２との間の案内通路１９を経て遊技領域１３の上部側へと打ち込まれた遊技球を衝突させて落下させるための障害突起２７〜２９を前記遊技領域１３の上部に前記外ガイドレール１１に沿って所定間隔をおいて複数配置した弾球遊技機において、前記複数の障害突起２７〜２９のうち、前記案内通路１９に最も近い第１障害突起２７の頂部４４側に、前記外ガイドレール１１側へと遊技球が戻る戻り球を阻止する戻り球阻止手段４８を備えたものである。
【発明の効果】
【００１２】
本発明によれば、第１障害突起２７を通過した遊技球の戻りを阻止する戻り球阻止手段４８を備えているため、戻り球と後続の遊技球との衝突を少なくすることができ、複数の障害突起２７〜２９により遊技球の落下方向を不規則に変化させることができる。
【発明を実施するための最良の形態】
【００１３】
以下、本発明の実施形態を図面に基づいて詳述する。図１〜図７は本発明をパチンコ機に採用した第１の実施例を例示している。図１において、遊技機本体１は、矩形状の外枠２と、この外枠２の前側にヒンジ３により縦軸廻りに開閉自在に枢着された前枠４とを備えている。前枠４の前側にはガラス扉５と前面板６とが上下に配置され、前枠４に対してヒンジ３と同じ側のヒンジ７により縦軸廻りに開閉自在に枢支されている。
【００１４】
前面板６の前側には発射用の遊技球を貯留する球供給皿８が配置され、その側方に遊技球を発射する発射手段用の発射ハンドル９が設けられている。ガラス扉５の裏側には、このガラス扉５に対応するように前枠４に遊技盤１０（図２参照）が着脱自在に装着されている。
【００１５】
遊技盤１０の前面には、図２に示すように、外ガイドレール１１及び内ガイドレール１２が略円弧状に配置されると共に、そのガイドレール１１，１２の内側の遊技領域１３に画像表示手段１４、普通図柄始動手段１５、特別図柄始動手段１６、大入賞手段１７、普通入賞手段１８等の各種の遊技部品が配置されている。なお、遊技領域１３はガラス扉５の窓孔に対応している。
【００１６】
外ガイドレール１１、内ガイドレール１２は案内通路１９を構成し、発射手段から発射された遊技球を案内通路１９の出口１９ａから遊技領域１３の上部へと案内するようになっている。内ガイドレール１２の終端には、遊技領域１３に一旦打ち込まれた遊技球が出口１９ａへと戻らないように阻止する戻り球阻止手段２０が設けられている。
【００１７】
戻り阻止手段２０は、内ガイドレール１２の先端の出口１９ａ側に配置され且つ出口１９ａを開閉する阻止片２１を有し、出口１９ａから遊技領域１３へと通過する遊技球により阻止片２１が出口１９ａを開放し、その通過後に阻止片２１が出口１９ａを閉じるようになっている。
【００１８】
画像表示手段１４は例えば図３、図４にも示すように液晶式の画像表示部２２と、この画像表示部２２の外周側を飾る前飾り枠２３とを有し、画像表示部２２と前飾り枠２３とが開口部２４（図５参照）に対応して遊技盤１０の前後両側に装着されている。なお、画像表示部２２は前飾り枠２３に取り付けて、開口部２４に嵌合するように遊技盤１０に前側から装着してもよい。
【００１９】
前飾り枠２３は開口部２４の外周で遊技盤１０の前面に当接するベース板２５と、このベース板２５から前側に突出する突出枠部２６とを有する。ベース板２５には、後述のように案内通路１９の出口１９ａから遊技領域１３の最上部側に至る範囲に、案内通路１９側から第１障害突起２７、第２障害突起２８及び第３障害突起２９の３個の障害突起２７〜２９が外ガイドレール１１に沿って設けられている。
【００２０】
突出枠部２６は外周側に侵入阻止壁３０を備え、遊技領域１３内を落下する遊技球が画像表示部２２側へと侵入しないように阻止するようになっている。ベース板２５の裏側には、図５に示すように外周側に補強用の周壁部２５ａが一体に設けられ、この周壁部２５ａが開口部２４に嵌合している。
【００２１】
画像表示手段１４とガイドレール１１，１２との間は、遊技領域１３の上部から下部のアウト球口３１にわたる範囲が球落下領域３２となっており、内ガイドレール１２の終端よりも上側の球落下領域３２に３個の障害突起２７〜２９が配置され、また内ガイドレール１２の終端よりも下側の球落下領域３２に普通図柄始動手段１５、特別図柄始動手段１６、大入賞手段１７、普通入賞手段１８及び多数の遊技釘３３が配置されている。
【００２２】
なお、遊技領域１３の上部には、第３障害突起２９に対して案内通路１９と反対側の近傍に１本又は複数本（例えば２本）の遊技釘が配置されているが、案内通路１９の出口１９ａよりも上側には、この遊技釘以外の遊技釘３３はない。
【００２３】
特別図柄始動手段１６は固定式入賞口１６ａと電動チューリップ等の可変式入賞口１６ｂとを上下に備え、また大入賞手段１７は大入賞口１７ａを開閉する開閉板１７ｂを備え、普通入賞手段１８は複数個の普通入賞口１８ａを備えている。
【００２４】
前飾り枠２３のベース板２５、突出枠部２６は合成樹脂製であって、図３、図４に示すようにベース板２５の前面に突出枠部２６が固定されている。ベース板２５は少なくとも案内通路１９の出口１９ａ側から遊技領域１３の上端部近傍までの部分が板状であり、遊技盤１０の前面に当接して取り付けネジにより遊技盤１０に着脱自在に固定されている。
【００２５】
第１障害突起２７、第２障害突起２８、第３障害突起２９は、案内通路１９の出口１９ａの近傍から外ガイドレール１１に沿って中央側斜め上方へと所定の間隔をおいて配置され、夫々の間から遊技球が下方へと落下可能である。
【００２６】
各障害突起２７〜２９は図５〜図７に示すようにベース板２５から前側に突出し且つ前端が前壁部３５〜３７により閉鎖された中空筒状であって、その前壁部３５〜３７の前面に装飾板３８〜４０が配置されている。装飾板３８〜４０は裏側の固定手段４１〜４３により障害突起２７〜２９に着脱自在に固定されている。なお、障害突起２７〜２９の前面を装飾用としてもよい。
【００２７】
第１障害突起２７は頂部４４を挟む両側に略八の字状に配置された前側衝突壁４５及び裏側衝突壁４６と、この前側衝突壁４５及び裏側衝突壁４６を外ガイドレール１１と反対側で連結する底壁４７とを備えた角筒状であり、その頂部４４側には、この頂部４４を越えて外ガイドレール１１側へと戻ろうとする遊技球、即ち戻り球を阻止するように戻り球阻止手段４８が設けられている。
【００２８】
第２障害突起２８は前側衝突壁５０及び裏側衝突壁５１と、この前側衝突壁５０及び裏側衝突壁５１を外ガイドレール１１と反対側で連結する底壁５２とを備えた角筒状である。第３障害突起２９は前側衝突壁５３及び上側衝突壁５４と、この前側衝突壁５３及び上側衝突壁５４を外ガイドレール１１と反対側で連結する底壁５５とを備えた角筒状である。
【００２９】
戻り球阻止手段４８は第１障害突起２７の頂部４４に一体に形成された阻止部４９を備え、この阻止部４９と外ガイドレール１１との間隔Ｗ１は、第１障害突起２７に隣接する第２障害突起２８と外ガイドレール１１との間隔Ｗ２、第３障害突起２９と外ガイドレール１１との間隔Ｗ３の何れよりも小であり、遊技球の直径の１．５倍前後となっている。なお、各障害突起２７〜２９と外ガイドレール１１との間隔Ｗ１〜Ｗ３は、第２障害突起２８側の間隔Ｗ２が最大で、次に第３障害突起２９側の間隔Ｗ３、第１障害突起２７の間隔Ｗ１の順に小さくなっている。
【００３０】
第１障害突起２７の前側衝突壁４５は外ガイドレール１１に沿って打ち込まれる遊技球の移動方向の上手側に配置され、その下手側に裏側衝突壁４６が設けられている。なお、第１障害突起２７の外ガイドレール１１側の端部は、案内通路１９からの遊技球が外ガイドレール１１に沿って遊技領域１３内へと移動し易くなるように外ガイドレール１１と略平行になっている。
【００３１】
阻止部４９は第２障害突起２８、第３障害突起２９で反射して跳ね返された遊技球が裏側衝突壁４６に沿って頂部４４側へと逆方向に移動する等により、第１障害突起２７の頂部４４を越えて外ガイドレール１１との間に入らないように阻止すべく、裏側衝突壁４６の外ガイドレール１１側端から第２障害突起２８側へと上向きに突出している。なお、阻止部４９の先端側は鋭角状であり、第２障害突起２８、第３障害突起２９側で跳ね返された遊技球を極力掬って下方に落とすようになっている。
【００３２】
前側衝突壁４５は第１障害突起２７の阻止部４９よりも案内通路１９側でその出口１９ａに対向して配置されている。この前側衝突壁４５は案内通路１９の出口１９ａを通過した直後に失速して外ガイドレール１１から遊技領域１３の内側へと離れた遊技球の多くが衝突し易くなるように上下方向に長く形成されると共に、その衝突した遊技球が速やかに落下するように鉛直線に対して角度αで下向きに傾斜している。裏側衝突壁４６は阻止部４９から外ガイドレール１１と反対側に向かって斜め下方へと傾斜し、遊技球を第２障害突起２８との間から下方へと落下させるようになっている。
【００３３】
第２障害突起２８の前側衝突壁５０は外ガイドレール１１に沿って打ち込まれる遊技球の移動方向の上手側に配置され、その下手側に裏側衝突壁５１が設けられている。第３障害突起２９の前側衝突壁５３は、その上側の垂直衝突壁５３ａと下側の傾斜衝突壁５３ｂとを備えている。垂直衝突壁５３ａは上下方向に短い略垂直状に設けられ、この垂直衝突壁５３ａに衝突した遊技球の多くが第２障害突起２８の裏側衝突壁５１上に落下するように、第２障害突起２８の裏側衝突壁５１よりも上側に配置されている。傾斜衝突壁５３ｂは、垂直衝突壁５３ａに対して角度βで斜め下方に下向きに傾斜しており、外ガイドレール１１側から飛行して来た遊技球、第２障害突起２８の裏側衝突壁５１から反射した遊技球等を下方へと反射させるように設けられている。
【００３４】
上側衝突壁５４は垂直衝突壁５３ａの上端から遊技領域１３の中央側上方へと略円弧状に形成され、遊技領域１３の中央側になる程、外ガイドレール１１との間隔Ｗ３が小さくなるように配置されている。
【００３５】
装飾板３８〜４０を障害突起２７〜２９に固定する固定手段４１〜４３は、装飾板３８〜４０の裏面から突出する嵌合突部５６〜５８と、各障害突起２７〜２９内に形成され且つ嵌合突部５６〜５８が前側から着脱自在に嵌合する有底円筒状の嵌合筒部５９〜６１と、この嵌合筒部５９〜６１の後端側の壁部を貫通して嵌合突部５６〜５８に螺合するネジ６２とを備えている。なお、装飾板３８〜４０は位置決め突起６３〜６５と、前壁部３５〜３７に形成され且つ位置決め突起６３〜６５が嵌合する位置決め孔６６〜６８により位置決めされている。
【００３６】
嵌合筒部５９〜６１は、第１障害突起２７では裏側衝突壁４６に近接して、第２障害突起２８では裏側衝突壁５１と底壁５２との略中央に、第３障害突起２９では上側衝突壁５４と底壁５５とに近接して夫々一体に成型されている。第１障害突起２７の嵌合筒部５９は裏側衝突壁４６の内側に近接して一体に形成され、前側衝突壁４５の内側に補強リブ６９を介して連結されている。第２障害突起２８の嵌合筒部６０は、前側衝突壁５０、裏側衝突壁５１の内側に補強リブ７０を介して夫々連結されている。第３障害突起２９の嵌合筒部５９〜６１は、上側衝突壁５４と底壁５５とに隣接して形成されている。
【００３７】
各障害突起２７〜２９は遊技中は案内通路１９から遊技領域１３へと打ち込まれる遊技球が間断なく衝突するため、遊技球の衝突に対しても十分に耐え得るように、板厚Ｓ１がベース板２５の板厚Ｓ２よりも大の厚肉状に構成されると共に、内部が嵌合筒部５９〜６１、補強リブ６９，７０等により正面視において複数の独立空間に区画され、その嵌合筒部５９〜６１、補強リブ６９，７０により内側から補強されている。
【００３８】
なお、各障害突起２７〜２９は、少なくとも遊技球が衝突し易い部分である衝突壁４５，４６，５０，５１，５３，５４側が厚肉であればよく、外ガイドレール１１と反対側の遊技球が当たり難い底壁４７，５２，５５側の板厚はベース板２５と略同じ程度としてもよい。
【００３９】
遊技に際して発射手段から遊技球を発射すると、その遊技球はガイドレール１１，１２間の案内通路１９を経て遊技領域１３側へと案内された後、その出口１９ａから阻止片２１を通過し外ガイドレール１１に沿って遊技領域１３内へと打ち込まれて行く。
【００４０】
発射手段での遊技球の打撃力の大小によって遊技球の慣性力が異なり、遊技球はその慣性力の大小に応じて複数の障害突起２７〜２９の何れかに衝突して跳ね返されるので、この障害突起２７〜２９によって遊技球の落下方向を不規則に変化させることができる。
【００４１】
例えば、遊技球の慣性力が弱い場合には、阻止片２１を通過して第１障害突起２７の手前側で遊技球が失速して、その多くは第１障害突起２７の前側衝突壁４５に衝突するか、前側衝突壁４５に衝突せずに下方へと落下する。また遊技球の慣性力が強ければ、その遊技球は第１障害突起２７上を外ガイドレール１１に沿って通過して第２障害突起２８側へと到達する。そして、慣性力の大きい遊技球は第３障害突起２９側へと移動し、また慣性力の小さい遊技球は第２障害突起２８側へと移動する。
【００４２】
例えば、第３障害突起２９側へと移動した遊技球が垂直衝突壁５３ａに衝突すると、その遊技球は慣性力の大小、衝突方向の違い等に応じて第２障害突起２８側に反射して、その裏側衝突壁５１と傾斜衝突壁５３ｂとの間で１回又は複数回反射しながら落下するか、第２障害突起２８の裏側衝突壁５１を越えて前側衝突壁５０、又はそれよりも第１障害突起２７側へと反射しながら落下する。また第２障害突起２８の前側衝突壁５０に衝突した遊技球は反射して第１障害突起２７と第２障害突起２８との間から落下したり、第１障害突起２７の裏側衝突壁４６に衝突して落下する。
【００４３】
第２障害突起２８の前側衝突壁５０、第３障害突起２９の垂直衝突壁５３ａに衝突した遊技球は、第１障害突起２７の裏側衝突壁４６上へと跳ね飛ばされた後、この裏側衝突壁４６の傾斜面に沿って転がりながら外ガイドレール１１側へと図７のａ矢示方向に移動することがある。
【００４４】
しかし、このように第１障害突起２７の裏側衝突壁４６上を逆方向に転がる遊技球があっても、裏側衝突壁４６の外ガイドレール１１側の端部から上側である第２障害突起２８側へと突出する阻止部４９があるため、この遊技球が裏側衝突壁４６から外ガイドレール１１により案内されて第１障害突起２７を乗り越えるようなことはない。また阻止部４９と外ガイドレール１１との間の隙間Ｗ１が小さくなっているため、第２障害突起２８側で跳ね飛ばされた遊技球が直接第１障害突起２７と外ガイドレール１１との隙間に入って戻り球となるようなことも少なくすることができる。
【００４５】
また遊技中、各障害突起２７〜２９には遊技球が間断なく衝突する。しかし、各障害突起２７〜２９の少なくとも衝突壁４５，４６，５０，５１，５３，５４側の板厚Ｓ１がベース板２５の板厚Ｓ２より大であり、しかも筒状の各障害突起２７〜２９の内部に嵌合筒部５９〜６１、補強リブ６９，７０等により構成される補強部があって、その補強部により障害突起２７〜２９を内側から補強しているので、障害突起２７〜２９の特定の部位に遊技球が当たり続けても、それによって障害突起２７〜２９が損傷したりすることはない。このため各障害突起２７〜２９の耐久性が向上し、この障害突起２７〜２９によって遊技球の落下方向を不規則に変化させることができる。
【００４６】
更に嵌合筒部５９〜６１、補強リブ６９，７０等の補強部は、衝突壁４５，４６，５０，５１，５３，５４に対応してその内側にあるため、嵌合筒部５９〜６１、補強リブ６９，７０等の補強部が遊技球の移動に死傷を来すようなことはない。
【００４７】
また障害突起２７〜２９内を嵌合筒部５９〜６１、補強リブ６９，７０等で複数の独立空間に区画しているため、嵌合筒部５９〜６１、補強リブ６９，７０等により障害突起２７〜２９自体の剛性が更に向上する。
【００４８】
このため前側衝突壁５０の内部に補強リブのない第２障害突起２８のような場合でも、その前側衝突壁５０の損傷を未然に防止することができる。更に第３障害突起２９の前側衝突壁５３は、上下方向の中途部でくの字状に屈曲することにより垂直衝突壁５３ａと傾斜衝突壁５３ｂとを形成しているので、この前側衝突壁５３の剛性も向上する。従って、各障害突起２７〜２９の衝突壁４５，４６，５０，５１，５３，５４の裏側の全てに補強部を設ける必要もない。
【００４９】
図８は本発明の第２の実施例を例示する。この実施例では、第１障害突起２７の前側衝突壁４５は傾斜状であって、案内通路１９から遊技領域１３の上部側に打ち込まれた遊技球が衝突したときに、その遊技球を傾斜に沿って頂部４４側へと案内するように構成されている。
【００５０】
このように前側衝突壁４５で遊技球を案内するように構成した場合でも、戻り球阻止手段４８で戻り球を阻止することにより、案内通路１９と第１障害突起２７との間での遊技球の衝突を少なくすることができる。
【００５１】
図９は本発明の第３の実施例を例示し、障害突起２７〜２９の全ての衝突壁４５，４６，５０，５１，５３，５４に対応してその内側に嵌合筒部５９〜６１、補強リブ６９，７０，７１等の補強部が設けられている。
【００５２】
このように各障害突起２７〜２９の内、侵入阻止壁３０部に近い底壁４７，５２，５５側を除いて、遊技球が衝突し易い衝突壁４５，４６，５０，５１，５３，５４の全てに対応して補強部を設けるようにしてもよい。
【００５３】
図１０（Ａ）〜（Ｄ）は本発明の第４の実施例を例示する。図１０（Ａ）は第１障害突起２７の裏側衝突壁４６の傾斜角度を大にしたものである。第１障害突起２７の裏側衝突壁４６は、傾斜角度が緩やかな緩傾斜の他、このように急傾斜の場合にも同様に実施できる。
【００５４】
図１０（Ｂ）は戻り球阻止手段４８の阻止部４９の先端を円弧状に丸くしたものである。第１障害突起２７の裏側衝突壁４６に沿って外ガイドレール１１側へと移動する遊技球の阻止を重視する場合には、このように阻止部４９の先端は円弧状，その他の形状にしてもよく、必ずしも先端が鋭角状に先鋭である必要はない。
【００５５】
図１０（Ｃ）では第１障害突起２７の裏側衝突壁４６は、下部側の傾斜衝突壁４６ａと、その上端側から起立する起立衝突壁４６ｂとを備え、その起立衝突壁４６ｂを阻止部４９としている。このように中間がくの字状に屈曲して凹入するように裏側衝突壁４６を構成しても、その起立衝突壁４６ｂにより戻り球阻止手段４８を構成することができる。なお、裏側衝突壁４６は正面視形状が円弧状に凹入するようにしてもよい。
【００５６】
図１０（Ｄ）は第１障害突起２７の裏側衝突壁４６が段差状に形成されている。裏側衝突壁４６はその傾斜部４６ｃ，４６ｄ間に段差４６ｅが設けられている。このように裏側衝突壁４６は傾斜部４６ｃ，４６ｄ、段差４６ｅを有するものでもよい。
【００５７】
図１１、図１２は本発明の第５の実施例を例示する。この実施例では、第１障害突起２７の頂部４４側に対応して、ベース板２５に戻り球阻止手段４８の阻止部４９が設けられている。阻止部４９は、第１障害突起２７の上面部の延長線上よりも遊技領域１３の内側の近傍において、ベース板２５板から前方に突出して設けられている。なお、この阻止部４９の突出高さＨ１は、第１障害突起２７の突出高さＨ２と略同じでもよいし、第１障害突起２７の突出高さＨ２よりも多少低くてもよい。
【００５８】
このように第１障害突起２７の頂部４４近傍に、第１障害突起２７とは別に阻止部４９を設けて戻り球阻止手段４８を構成することも可能である。
【００５９】
以上、本発明の各実施例について詳述したが、本発明はこの各実施例に限定されるものではなく、本発明の趣旨を逸脱しない範囲で種々の変更が可能である。例えば、実施例では、遊技領域１３の上部に外ガイドレール１１に沿って３個の障害突起２７〜２９を設けているが、この障害突起２７〜２９の数は２個、４個でもよい。また複数の障害突起２７〜２９を設ける場合、その一部の障害突起、例えば最上部側の障害突起２９を画像表示手段１４の前飾り枠２３の一部を利用して構成してもよい。
【００６０】
また複数の障害突起２７〜２９は、その前端を遊技盤１０と略平行な連結板で連結してもよい。障害突起２７〜２９は遊技球が衝突して弾む構造、形状であればよく、各実施例に例示の構造等に限定されるものではない。実施例では画像表示手段１４の前飾り枠２３等、他の大型遊技部品のベース板２５に障害突起２７〜２９を一体に設けているが、ベース板２５は専ら障害突起２７〜２９を支持する専用のものでもよい。
【００６１】
障害突起２７〜２９は剛性を確保する上では筒状であることが望ましいが、遊技領域１３の中心側となる底壁４７，５２，５５側を開放状に構成してもよい。補強部は嵌合筒部、リブ以外のもので構成してもよい。更にパチンコ機の他、アレンジボール機等の各種の弾球遊技機においても同様に実施可能である。
【図面の簡単な説明】
【００６２】
【図１】本発明の第１の実施例を示すパチンコ機の斜視図である。
【図２】同遊技盤の正面図である。
【図３】同遊技盤の要部の正面図である。
【図４】同遊技盤の要部の斜視図である。
【図５】同障害突起の分解斜視図である。
【図６】同障害突起部分の遊技盤の断面図である
【図７】同障害突起部分の遊技盤の正面断面図である。
【図８】本発明の第２の実施例を示す要部の正面図である。
【図９】本発明の第３の実施例を示す要部の正面断面図である。
【図１０】本発明の第４の実施例を示す要部の正面断面図である。
【図１１】本発明の第５の実施例を示す要部の正面断面図である。
【図１２】同要部の側面断面図である。
【符号の説明】
【００６３】
１０  遊技盤
１１  外ガイドレール
１２  内ガイドレール
１３  遊技領域
１９  案内通路
２７  第１障害突起
２８  第２障害突起
２９  第３障害突起
４５  前側衝突壁
４６  裏側衝突壁
４８  戻り球阻止手段
５６  頂部
５７  阻止部
【図１】
2010136867.tif 000003
【図２】
2010136867.tif 000004
【図３】
2010136867.tif 000005
【図４】
2010136867.tif 000006
【図５】
2010136867.tif 000007
【図６】
2010136867.tif 000008
【図７】
2010136867.tif 000009
【図８】
2010136867.tif 000010
【図９】
2010136867.tif 000011
【図１０】
2010136867.tif 000012
【図１１】
2010136867.tif 000013
【図１２】
2010136867.tif 000014